(57)【要約】【課題】視聴途中で中断したコンテンツを、時間及び空間的な制限を気にすることなく中断箇所から再生を再開することのできる視聴装置及び視聴システムを提供する。【解決手段】コンテンツ１０４の中断状況を記録媒体１２０に格納し、記録媒体１２０から視聴情報１１８を取得したり、記録媒体１２０へ視聴情報１１８の書き込みを行い、コンテンツ１０４の再生時に再生対象コンテンツ１０４が視聴途中であるかどうか判断する視聴情報制御エンジン１２１を備える。これにより、視聴途中で中断したコンテンツ１０４を記録媒体１２０を介して同様の視聴システムが設置されている別の場所で中断途中からの視聴を行うことができる。【選択図】図１
2006340297.tif 000002
【特許請求の範囲】
【請求項１】
映像や音楽を含むマルチメディアデータをオンデマンド形式で再生する視聴装置において、
視聴したコンテンツの情報である視聴情報を生成すると共に、コンテンツの再生中に視聴が中断された場合に中断箇所を前記視聴情報として登録する視聴情報生成手段と、
前記視聴情報生成手段にて生成された前記視聴情報を記録媒体に記録し、また前記記録媒体から前記視聴情報を読み出す媒体制御手段と、
コンテンツの再生時に該コンテンツの視聴情報が前記記録媒体に視聴中断状態にあると記録されているかどうかを確認する視聴状況確認手段と、
再生しようとするコンテンツが視聴中断状態のものであれば前記中断箇所から再生する再生制御手段と、
を備える視聴装置。
【請求項２】
前記視聴情報生成手段は、前記中断箇所を示す情報として中断時の日時を使用し、
前記視聴状況確認手段は、中断日時から一定期間内のコンテンツのみ確認する請求項１に記載の視聴装置。
【請求項３】
前記視聴情報生成手段は、最後まで再生されたコンテンツに対する前記視聴情報として、最後まで再生されたことを示す符号を登録し、
前記視聴状況確認手段は、最後まで再生されたことを示す符号のあるコンテンツを確認するとユーザに対して以前に視聴したことがあることを通知する請求項１又は請求項２に記載の視聴装置。
【請求項４】
映像や音楽を含むマルチメディアデータを配信するサーバと、
前記サーバからのマルチメディアデータをオンデマンド形式で再生するクライアントとを備える視聴システムにおいて、
前記クライアントとして、請求項１乃至請求項３のいずれかに記載の視聴装置を備える視聴システム。
【請求項５】
映像や音楽を含むマルチメディアデータをオンデマンド形式で再生するためのプログラムにおいて、
コンテンツを再生することで該コンテンツの情報である視聴情報を生成し、更にコンテンツの再生中に視聴が中断された場合には中断箇所を前記視聴情報として登録するステップと、
生成された前記視聴情報を記録媒体に記録し、また前記記録媒体から前視聴情報を読み出すステップと、
コンテンツの再生時に該コンテンツの視聴情報が前記記録媒体に視聴中断状態にあると記録されているかどうかを確認するステップと、
再生しようとするコンテンツが視聴中断状態のものであれば前記中断箇所から再生するステップと、
を備え、コンピュータに前記各ステップを実行させるプログラム。
【発明の詳細な説明】
【技術分野】
【０００１】
本発明は、映像や音楽を含むマルチメディアデータをオンデマンド形式で再生する視聴システムに関し、特に再生途中で中断した後、中断した箇所から再生することができる視聴装置及び視聴システムに関する。
【背景技術】
【０００２】
従来、ホテルや図書館などの施設において映像や音楽などのコンテンツを視聴できる視聴システムがある。従来の視聴システムは、ホテルなどの宿泊施設で用いられているＶＯＤ（Video On Demand）システムを例に取ると、滞在期間内で選択した映像コンテンツの視聴を一時中断しても同滞在期間中であれば追加料金が発生することなく中断した箇所から視聴再開が可能なサービスが行われている（例えば、特許文献１参照）。その仕組みは、ユーザが視聴を中断した情報をサーバ側で管理し、端末から同ユーザがシステムにアクセスしたときにサーバ側の処理により中断箇所からの再生を行っている。
【０００３】
また、サーバ側で中断情報を管理するのではなく、端末側で管理する提案もあり（例えば、特許文献２参照）、その提案によれば、端末内に設けられた記録装置にコンテンツの識別子と中断情報を格納し、再開時にその情報を元にサーバ側に再生を要求し、サーバは指定された中断箇所から映像を送信する。
【０００４】
また、端末間で継続視聴を実現するケースとして、据置テレビとモバイル端末との間での公知例が２点ある（例えば、特許文献３及び４参照）。その１つはテレビで視聴していたコンテンツを途中で中断し、モバイル端末で再開するというもので、中断情報はサーバ側に持ち、端末を変更しても中断箇所からの継続視聴を可能にしている。もう１つは、各端末にコンテンツの蓄積機能を設け、蓄積したコンテンツの視聴中の中断情報を端末間で無線により送受信し、端末間での継続視聴を可能にしている。
【０００５】
【特許文献１】特開平４−１００６１号公報
【特許文献２】特開平８−２０５１２１号公報
【特許文献３】特開２００４−５６５４２号公報
【特許文献４】特開２００４−４８１３２号公報
【発明の開示】
【発明が解決しようとする課題】
【０００６】
しかしながら、従来の視聴システムにおいては、次のような問題がある。すなわち、視聴途中でホテル等の宿泊施設をチェックアウトしてしまうと、視聴コンテンツや中断箇所といった情報はユーザの個人情報として削除されるので、同じ宿泊施設に後日宿泊した場合でも前回視聴途中であったコンテンツも新たに視聴する扱いとなり再度視聴料金が必要である。
【０００７】
また、３時間に及ぶ映画コンテンツ等は１回の滞在中に視聴時間を確保できず、ユーザが視聴を敬遠する要因となり、施設側のＶＯＤサービスの売上に結びつけることが困難である。
【０００８】
また、システムの仕組みとしては、サーバ側でユーザ毎に中断情報を管理する構成では、ユーザ数やコンテンツの数が多くなると管理する情報が膨れ上がりサーバ側のスペックを上げる必要がある。また、端末内の記録装置にユーザ毎の中断情報を格納する構成では、ホテルや図書館といった公共施設における据置端末の場合、ユーザの視聴履歴といった個人情報を不特定多数のユーザが使用する端末に格納しておくことは個人情報保護の観点から不適当である。更に、不特定多数のユーザが特定の端末を操作することになるので、利用ユーザ数の増加に伴い管理するデータ量も増加し、端末側のスペックを上げる必要が生じてしまう。端末間における視聴途中のデータのやり取りは無線が有効な近距離であり、公共施設間のような遠距離間におけるやり取りには拠点間のインフラ整備が不可欠となる。
【０００９】
本発明は、かかる点に鑑みてなされたものであり、ホテル等の宿泊施設への滞在時に視聴途中で中断したコンテンツを、次回滞在時に中断箇所から再開できることを可能とし、更に同じコンテンツを有している系列施設間でも中断の再開を可能とすることのできる視聴装置及び視聴システムを提供することを目的とする。
【課題を解決するための手段】
【００１０】
上記目的は下記構成及びプログラムにより達成される。
（１）  映像や音楽を含むマルチメディアデータをオンデマンド形式で再生する視聴装置において、視聴したコンテンツの情報である視聴情報を生成すると共に、コンテンツの再生中に視聴が中断された場合に中断箇所を前記視聴情報として登録する視聴情報生成手段と、前記視聴情報生成手段にて生成された前記視聴情報を記録媒体に記録し、また前記記録媒体から前記視聴情報を読み出す媒体制御手段と、コンテンツの再生時に該コンテンツの視聴情報が前記記録媒体に視聴中断状態にあると記録されているかどうかを確認する視聴状況確認手段と、再生しようとするコンテンツが視聴中断状態のものであれば前記中断箇所から再生する再生制御手段と、を備える。
【００１１】
この構成によれば、視聴途中で中断したコンテンツを記録媒体を介して同様の視聴システムが設置されている別の場所で中断途中からの視聴を行うことができる。
【００１２】
（２）  上記（１）に記載の視聴装置において、前記視聴情報生成手段は、前記中断箇所を示す情報として中断時の日時を使用し、前記視聴状況確認手段は、中断日時から一定期間内のコンテンツのみ確認する。
【００１３】
この構成によれば、中断後の一定期間内でのみ継続視聴サービスを享受することができる。
【００１４】
（３）  上記（１）又は（２）に記載の視聴装置において、前記視聴情報生成手段は、最後まで再生されたコンテンツに対する前記視聴情報として、最後まで再生されたことを示す符号を登録し、前記視聴状況確認手段は、最後まで再生されたことを示す符号のあるコンテンツを確認するとユーザに対して以前に視聴したことがあることを通知する。
【００１５】
この構成によれば、ユーザに対して以前に視聴したことがあることを通知することができる。
【００１６】
（４）  映像や音楽を含むマルチメディアデータを配信するサーバと、前記サーバからのマルチメディアデータをオンデマンド形式で再生するクライアントとを備える視聴システムにおいて、前記クライアントとして、上記（１）乃至（３）のいずれかに記載の視聴装置を備える。
【００１７】
この構成によれば、視聴途中で中断したコンテンツを記録媒体を介して同様の視聴システムが設置されている別の場所で中断途中からの視聴を行うことができる。
【００１８】
（５）  映像や音楽を含むマルチメディアデータをオンデマンド形式で再生するためのプログラムにおいて、コンテンツを再生することで該コンテンツの情報である視聴情報を生成し、更にコンテンツの再生中に視聴が中断された場合には中断箇所を前記視聴情報として登録するステップと、生成された前記視聴情報を記録媒体に記録し、また前記記録媒体から前記視聴情報を読み出すステップと、コンテンツの再生時に該コンテンツの視聴情報が前記記録媒体に視聴中断状態にあると記録されているかどうかを確認するステップと、再生しようとするコンテンツが視聴中断状態のものであれば前記中断箇所から再生するステップと、を備え、コンピュータに前記各ステップを実行させる。
【００１９】
このプログラムによれば、視聴途中で中断したコンテンツを記録媒体を介して同様の視聴システムが設置されている別の場所で中断途中からの視聴を行うことができる。
【発明の効果】
【００２０】
本発明の視聴装置によれば、視聴途中で中断したコンテンツを記録媒体を介して同様の視聴システムが設置されている別の場所で中断途中からの視聴を行うことができる。
【発明を実施するための最良の形態】
【００２１】
以下、本発明を実施するための好適な実施の形態について、図面を参照して詳細に説明する。
【００２２】
（実施の形態１）
図１は、本発明の実施の形態１に係る視聴システムの概略構成を示すブロック図である。この図において、本実施の形態に係る視聴システムは、ＶＯＤ端末（視聴装置）１０１と、ＶＯＤサーバ１０２と、コンテンツ管理サーバ１０３とを備えて構成される。ＶＯＤ端末１０１には、記録媒体１２０が挿入可能となっている。ＶＯＤサーバ１０２には、視聴対象となるコンテンツ１０４が格納されており、ＶＯＤ端末１０１からの再生要求に応じてＶＯＤ端末１０１に映像ストリームが流される。
【００２３】
コンテンツ管理サーバ１０３は、コンテンツ情報ＤＢ（データベース）１０５と、プレイリストファイル１０６と、ＧＵＩ（Graphical User Interface）構築部１０７と、通信部１０８とを備えている。コンテンツ情報ＤＢ１０５は、ＶＯＤサーバ１０２に登録されているコンテンツ１０４の一覧を付加情報（タイトル名等）として管理する。ＧＵＩ構築部１０７は、コンテンツ情報ＤＢ１０５の情報を元にコンテンツ１０４の一覧画面といったＶＯＤ端末１０１側で表示するＧＵＩ画面を構築する。このＧＵＩ画面により、ユーザはＶＯＤサーバ１０２に格納されているコンテンツ１０４を選択することができる。プレイリストファイル１０６は、コンテンツ１０４毎に用意され、コンテンツ１０４の格納先情報をＵＲＬ（Uniform Resource Locator）形式で記述している。通信部１０８は、ＶＯＤ端末１０１とのデータ送受信の窓口であり、プレイリストファイル１０６やＧＵＩ構築部１０７で構築したＨＴＭＬ（Hypertext Markup Language）をＶＯＤ端末１０１へ送信する。
【００２４】
ＶＯＤ端末１０１は、ＶＯＤ制御部（再生制御手段）１１１と、ＧＵＩ制御部１１３と、処理判定部１１５に、コンテンツの視聴状況を記録した視聴情報１１８を制御する視聴情報制御エンジン１２１を追加した構成である。視聴情報制御エンジン１２１は、視聴状況確認部１１６と、視聴情報生成部１１７と、媒体制御部１１９とを備えて構成される。
【００２５】
ＶＯＤ制御部１１１は、ＶＯＤサーバ１０２に対してユーザが選択したコンテンツ１０４の再生要求や、入力装置１０９からの停止／早送り／巻き戻し／一時停止といったトリックプレイ要求を行い、ＶＯＤサーバ１０２から得られたコンテンツ１０４のストリーム情報を出力装置１１０上に再生する。また、再生対象のコンテンツ１０４が視聴中断状態であることを視聴状況確認部１１６から通知された場合は、中断箇所からの再生をＶＯＤサーバ１０２に要求する。ＧＵＩ制御部１１３は、Ｗｅｂブラウザに相当し、コンテンツ管理サーバ１０３で構築したＨＴＭＬ形式のＧＵＩ画面を出力装置１１０上に出力する。また、ＧＵＩ画面上で選択されたコンテンツ１０４に対するプレイリストファイル１０６をコンテンツ管理サーバ１０３から受信する。
【００２６】
処理判定部１１５は、入力装置１０９からの信号を受け付けて、信号を処理するブロックに振り分ける。例えば、ＶＯＤ再生状態でトリックプレイ操作が行われた場合は、ＶＯＤ制御部１１１にトリックプレイ操作の信号を渡し、ＧＵＩ画面上での操作が行われた場合は、ＧＵＩ制御部１１３へ操作信号を渡す。視聴状況確認部１１６は、ユーザによって選択されたコンテンツ１０４の再生時にＶＯＤ制御部１１１が起動し、選択されたコンテンツ１０４が視聴情報１１８に視聴中断状態として記録されていないかどうか判定し、その結果をＶＯＤ制御部１１１に伝える。視聴情報生成部１１７は、コンテンツ１０４の再生を中断した場合に処理判定部１１５が起動し、視聴情報１１８として出力する。
【００２７】
媒体制御部１１９は、記録媒体１２０に格納されている視聴情報を読み出し、視聴情報１１８としてＶＯＤ端末１０１内に展開する。この場合、展開とはＶＯＤ端末１０１内の不図示のメモリあるいはＲＡＭ等の記憶装置上にデータを出力することを意味する。また、ユーザが記録媒体１２０を抜き取る際に、ＶＯＤ端末１０１内に展開されている視聴情報１１８を記録媒体１２０へ格納する。読み出しと書き込みはユーザのＧＵＩ操作を契機として処理判定部１１５より起動する。
【００２８】
ここで、図２は、本実施の形態で扱うファイルの構成を示す。図２の（ａ）は、視聴情報１１８の内部を、図２の（ｂ）はプレイリストファイル１０６を示している。視聴情報１１８には、コンテンツＩＤ２０１、中断ポイント２０２が格納される。コンテンツＩＤ２０１はコンテンツ１０４の識別子であり、コンテンツ１０４毎に用意されているプレイリストファイル１０６内に記載されているものと同一の情報であり、視聴情報１１８のレコードとプレイリストファイル１０６を対応付けている。中断ポイント２０２は、コンテンツ１０４の再生を中断した時のコンテンツ１０４の先頭からの経過時間である。プレイリストファイル１０６には、コンテンツＩＤ２０１、ＵＲＬ２０３が格納される。コンテンツＩＤ２０１はコンテンツ１０４の識別子である。ＵＲＬ２０３は、コンテンツ１０４の格納先を示す情報である。
【００２９】
以上のように構成された視聴システムについて、図３〜図５に示すフローチャートを用いてその動作を説明する。処理は、記録媒体１２０から視聴情報１１８を展開する処理と、視聴情報１１８を生成する処理と、継続視聴を実行する処理と、視聴情報１１８を記録媒体１２０に格納する処理とに分かれる。
【００３０】
図３に示すフローチャートにおいて、記録媒体１２０から視聴情報１１８を展開する処理は、記録媒体１２０をＶＯＤ端末１０１に接続することで起動する。媒体制御部１１９は記録媒体１２０が接続されたことを検知し（ステップＳ３０１）、ＶＯＤ端末１０１内に既に視聴情報１１８が展開されていないか確認する（ステップＳ３０２）。展開されていない場合は、記録媒体１２０に格納されているコンテンツＩＤ２０１と中断ポイント２０２の組み合わせをＶＯＤ端末１０１内の視聴情報１１８に展開する（ステップＳ３０４）。展開されている場合は、記録媒体１２０を接続する前にＶＯＤ操作を行い再生を中断した場合に該当する。まず、記録媒体１２０からコンテンツＩＤ２０１と中断ポイント２０２のデータを１レコード分読み出し（ステップＳ３０３）、展開されている視聴情報１１８内に同じコンテンツＩＤ２０１のものが存在しないか確認する（ステップＳ３０５）。存在する場合は、ＶＯＤ端末１０１内に展開済みのデータを使用するため、上記で読み出したレコードの情報は破棄し、次のレコードを記録媒体１２０から読み出す。存在しない場合は、展開済みの視聴情報１１８に追記する形で上記レコードの情報を展開する（ステップＳ３０６）。この操作を記録媒体１２０内の全レコードについて行う（ステップＳ３０７）。
【００３１】
図４に示すフローチャートにおいて、視聴情報１１８を生成する処理は、ユーザがＶＯＤを再生中に停止する場合とＶＯＤ端末１０１の別の機能へ切替を行った時に発生する。この場合、別の機能とは、メニュー画面を呼び出したり、ＴＶ視聴画面へ切り替える等、ＶＯＤの再生状態から切り替えることを意味する。上記切替は入力装置１０９を用いてユーザが操作することで発生する。入力装置１０９上での操作内容は処理判定部１１５で内容を解析し、上記のＶＯＤを中断する操作の場合はＶＯＤ制御部１１１に対してＶＯＤの中断を指示する。ＶＯＤ制御部１１１はＶＯＤの中断をＶＯＤサーバ１０２に要請し、中断対象となったコンテンツ１０４のコンテンツＩＤ２０１と中断ポイント２０２を処理判定部１１５に返す。処理判定部１１５はコンテンツＩＤ２０１と中断ポイント２０２を視聴情報生成部１１７に渡す。
【００３２】
視聴情報生成部１１７は、視聴情報１１８が既にＶＯＤ端末１０１内に展開されているか確認する（ステップＳ３２１）。展開されていない場合は、新規に展開し（ステップＳ３２２）、処理判定部１１５から送られてきたコンテンツＩＤ２０１と中断ポイント２０２の組を書き込む（ステップＳ３２３）。展開されている場合は、視聴情報１１８内に処理判定部１１５から送られてきたコンテンツＩＤ２０１の記録の有無を確認する（ステップＳ３２４）。既に記録されている場合は、そのレコードを今回の中断ポイント２０２で更新する（ステップＳ３２６）。存在しない場合は、新たなレコードとしてコンテンツＩＤ２０１と中断ポイント２０２の組を書き込む（ステップＳ３２５）。
【００３３】
図５に示すフローチャートにおいて、継続視聴を実行する処理では、ユーザがＶＯＤ再生操作を行った場合に発生する。再生操作は出力装置１１０上に表示されているコンテンツ一覧などの画面上でコンテンツ１０４を入力装置１０９により選択することで開始する。入力装置１０９による操作信号は処理判定部１１５に送られ、コンテンツ１０４選択の操作であることを検知するとＧＵＩ制御部１１３に操作信号を伝える。ＧＵＩ制御部１１３は選択されたコンテンツ１０４に対応するプレイリストファイル１０６を通信部１０８を介してコンテンツ管理サーバ１０３へ要求し、コンテンツ管理サーバ１０３からプレイリストファイル１０６をダウンロードする。ダウンロード完了後、ＧＵＩ制御部１１３は処理判定部１１５に処理完了を伝え、処理判定部１１５は、ＶＯＤ制御部１１１にＶＯＤ再生を指示する。ＶＯＤ制御部１１１は、プレイリストファイル１０６からコンテンツＩＤ２０１とコンテンツの格納先のＵＲＬ２０３を取得し、視聴状況確認部１１６にコンテンツＩＤ２０１を渡し、該当するコンテンツ１０４が視聴途中であるか確認する。
【００３４】
視聴状況確認部１１６は、渡されたコンテンツＩＤ２０１で視聴情報１１８を検索し（ステップＳ３４１）、該当するレコードの有無を確認し（ステップＳ３４２）、該当レコードが有る場合は、中断ポイント２０２の情報を取得し（ステップＳ３４３）、ＶＯＤ制御部１１１に送る（ステップＳ３４４）。ＶＯＤ制御部１１１は、中断ポイント２０２の位置から再生するようＶＯＤサーバ１０２へ要求する。該当レコードが無い場合は、視聴状況確認部１１６は該当しないことをＶＯＤ制御部１１１に通知し（ステップＳ３４４）、ＶＯＤ制御部１１１はコンテンツ１０４を先頭から再生するようにＶＯＤサーバ１０２へ要求する。ＶＯＤサーバ１０２は要求された位置からコンテンツ１０４のストリームをＶＯＤ端末１０１に送信する。コンテンツ１０４のストリームはＶＯＤ制御部１１１を介して出力装置１１０に表示される。
【００３５】
図６に示すフローチャートにおいて、視聴情報１１８を記録媒体１２０に格納する処理は、記録媒体１２０を取り出す際に発生する。取り出す場合は、ＰＣ上でＵＳＢ機器を取り外す操作と同様に、ＧＵＩ上で取り外し可能とするための操作を行う。入力装置１０９で取り外しの操作を行うと、操作信号が処理判定部１１５に送られる。処理判定部１１５は媒体制御部１１９へ取り外し指示を行うと、媒体制御部１１９は視聴情報１１８の内容を読み込み（ステップＳ３６１）、記録媒体１２０に上書き保存する（ステップＳ３６２）。保存完了後、媒体制御部１１９は処理判定部１１５に取り外し完了の信号を送り（ステップＳ３６３）、処理判定部１１５はＧＵＩ制御部１１３に取り外し完了を伝える。ＧＵＩ制御部１１３は取り外し完了であることをＧＵＩ上に反映させ出力装置１１０に表示する。
【００３６】
このように、本実施の形態の視聴システムによれば、コンテンツ１０４の中断状況を記録媒体１２０に格納し、記録媒体１２０から視聴情報１１８を取得したり、記録媒体１２０へ視聴情報１１８の書き込みを行い、コンテンツ１０４の再生時に再生対象コンテンツ１０４が視聴途中であるかどうか判断する視聴情報制御エンジン１２１を備えたので、視聴途中で中断したコンテンツ１０４を記録媒体１２０を介して同様の視聴システムが設置されている別の場所で中断途中からの視聴を行うことができる。
【００３７】
（実施の形態２）
次に、本発明の実施の形態２に係る視聴システムについて説明する。図７は、本実施の形態の視聴システムにおけるファイルの構成を示す図である。上述した実施の形態１で示した視聴情報１１８に対し、図７の（ａ）に示すように、中断ポイント２０２を登録した日時を示す中断日時２０４の項目を設けている。また、図７の（ｂ）に示すように、プレイリストファイル１０６には継続視聴を許可する期間を示す規定時間２０５の項目を追加している。
【００３８】
以上のように構成された視聴システムについて、図８に示すフローチャートを用いてその動作を説明する。なお、前述した図５に示すフローチャートと共通する部分の説明は省略する。図８において、継続視聴を実行する処理で、視聴状況確認部１１６が再生対象となるコンテンツ１０４の中断状況を確認する際、現在の時刻と中断日時２０４を比較し（ステップＳ５０１）、その差が規定時間２０５を超える場合は中断対象コンテンツとして扱わず、先頭からの再生を行うようにする。規定時間２０５はサービスを提供する側（例えばホテル事業者）が設定し、プレイリストファイル１０６に「１年」や「３ヶ月」といった有効期間として記載しておく。プレイリストファイル１０６はコンテンツ再生時にＶＯＤ制御部１１１にて読み込まれるため、ＶＯＤ制御部１１１から視聴状況確認部１１６に規定時間２０５として渡し、視聴状況確認部１１６内で規定時間２０５内にあるか判定する。
【００３９】
このように、本実施の形態の視聴システムによれば、視聴情報１１８に中断日時２０４の項目を設け、視聴状況確認部１１６に中断状態にあるコンテンツについて規定時間２０５の超過を判定するので、中断後の一定期間内でのみ継続視聴サービスを提供し、期間限定による顧客の囲い込みを可能とすることができる。継続視聴可能期限を設けることで、一度視聴したコンテンツが永久に無料視聴できる状況を防止し、コンテンツ提供側の利益を保証する一方で、一定期間内であればユーザにとって有利なサービスとなる。
【００４０】
（実施の形態３）
次に、本発明の実施の形態３に係る視聴システムについて説明する。図９は、本実施の形態の視聴システムの概略構成を示すブロック図である。本実施の形態では、実施の形態１で示した視聴情報制御エンジン１２１に対し、表示情報加工部６０１を有し、視聴情報１１８の中断ポイント２０２で最後まで視聴したコンテンツ１０４については、視聴済みであることを示す記号を登録する機能を視聴情報生成部１１７に追加した。表示情報加工部６０１は、コンテンツ一覧などのＧＵＩ画面をＧＵＩ制御部１１３が出力装置１１０に表示する際、その元となるＨＴＭＬ１１４を取り込む。そして、ＨＴＭＬ１１４内に記載されているコンテンツＩＤ２０１を元に視聴情報１１８から視聴済みコンテンツを検索し、視聴済みを示す記号をＨＴＭＬ１１４内に埋め込む。
【００４１】
以上のように構成された視聴システムについて、図１０に示すフローチャートを用いてその動作を説明する。図１０において、ＧＵＩ制御部１１３がＨＴＭＬ１１４を表示する際、一旦処理判定部１１５に信号を送り、処理判定部１１５が表示情報加工部６０１に対し加工処理を依頼する。表示情報加工部６０１は、ＨＴＭＬ１１４を読み込みコンテンツＩＤ２０１の記載部分を検出する（ステップＳ７０１）。そして、検出したコンテンツＩＤ２０１を元に視聴情報１１８を検索し（ステップＳ７０２）、該当するレコードの有無を確認する（ステップＳ７０３）。該当レコードが存在しない場合は、ＨＴＭＬ１１４からのコンテンツＩＤ２０１の検出（ステップＳ７０１）に戻る。該当レコードが存在する場合は、最後まで視聴済みである事を示す符号が中断ポイント２０２に記載されていないか確認し（ステップＳ７０４）、記載されていない場合は、ＨＴＭＬ１１４からのコンテンツＩＤ２０１の検出に戻る（ステップＳ７０１）。記載されている場合は、視聴済みであることを示す表示記号をＨＴＭＬ１１４内に埋め込む（ステップＳ７０５）。以上の処理をＨＴＭＬ１１４内に記載されている全てのコンテンツＩＤ２０１について実施し（ステップＳ７０６）、完了後出力装置１１０へＨＴＭＬ１１４に表示する（ステップＳ７０７）。
【００４２】
このように、本実施の形態の視聴システムによれば、コンテンツ一覧画面に対して視聴済みであることを示す記号を埋め込む表示情報加工部６０１を設けることにより、ユーザに対して以前に視聴したことがあることを通知することができる。
【産業上の利用可能性】
【００４３】
本発明は、特定施設に滞在している期間内という時間と空間的な制限を気にすることなくコンテンツの視聴サービスを享受できるといった効果を有し、ホテルや図書館・博物館等におけるオンデマンド型の視聴システム等への適用が可能である。
【図面の簡単な説明】
【００４４】
【図１】本発明の実施の形態１に係る視聴システムの概略構成を示すブロック図
【図２】本発明の実施の形態１に係る視聴システムで扱うファイルを示し、（ａ）は視聴情報の構成図、（ｂ）はプレイリストファイルの構成図
【図３】本発明の実施の形態１に係る視聴システムにおける記録媒体から視聴情報を展開する場合の媒体制御部の処理を説明するためのフローチャート
【図４】本発明の実施の形態１に係る視聴システムにおける視聴情報生成部の処理を説明するためのフローチャート
【図５】本発明の実施の形態１に係る視聴システムにおける視聴状況確認部の処理を説明するためのフローチャート
【図６】本発明の実施の形態１に係る視聴システムにおける記録媒体へ視聴情報を格納する場合の媒体制御部の処理を説明するためのフローチャート
【図７】本発明の実施の形態２に係る視聴システムで扱うファイルを示し、（ａ）は視聴情報の構成図、（ｂ）はプレイリストファイルの構成図
【図８】本発明の実施の形態２に係る視聴システムの動作を説明するためのフローチャート
【図９】本発明の実施の形態３に係る視聴システムの概略構成を示すブロック図
【図１０】本発明の実施の形態３に係る視聴システムの動作を説明するためのフローチャート
【符号の説明】
【００４５】
１０１  ＶＯＤ端末
１０２  ＶＯＤサーバ
１０３  コンテンツ管理サーバ
１０４  コンテンツ
１０５  コンテンツ情報ＤＢ
１０６  プレイリストファイル
１０７  ＧＵＩ構築部
１０８  通信部
１０９  入力装置
１１０  出力装置
１１１  ＶＯＤ制御部
１１３  ＧＵＩ制御部
１１４  ＨＴＭＬファイル
１１５  処理判定部
１１６  視聴状況確認部
１１７  視聴情報生成部
１１８  視聴情報
１１９  媒体制御部
１２０  記録媒体
１２１  視聴情報制御エンジン
２０１  コンテンツＩＤ
２０２  中断ポイント
２０３  ＵＲＬ
２０４  中断日時
２０５  規定時間
６０１  表示情報加工部
【図１】
2006340297.tif 000003
【図２】
2006340297.tif 000004
【図３】
2006340297.tif 000005
【図４】
2006340297.tif 000006
【図５】
2006340297.tif 000007
【図６】
2006340297.tif 000008
【図７】
2006340297.tif 000009
【図８】
2006340297.tif 000010
【図９】
2006340297.tif 000011
【図１０】
2006340297.tif 000012